(57)【要約】 【課題】本発明は、オフィスや家庭の壁を利用して、特にオフィスや家庭の床から壁を伝って蔓が這う如き、蔓を用いた人工観葉植物を提供するものであり、人工樹木にはない自然の蔓の表面質感によって癒し効果を挙げること。【解決手段】立設支持体１と、該立設支持体から上方へ伸びる幹状部２とからなる人工観葉植物であり、前記幹状部は蔓構造体からなるとともに、前記立設支持体は座床部を複数備えるように曲設された少なくとも１本の蔓体からなり、前記立設支持体１は少なくとも前記幹状部と一体化され、前記幹状部の転倒防止機能を備えており、オフィスや家庭の床からその壁を伝って蔓が這う如き演出が可能となるばかりか、立設支持体の蔓体が従来の人工樹木の鉢に代わり転倒防止機能を有する。【選択図】図４
2008150772.tif 000002
【特許請求の範囲】
【請求項１】
立設支持体と、該立設支持体から上方へ伸びる幹状部とからなる人工観葉植物であり、前記幹状部は蔓構造体からなるとともに、前記立設支持体は座床部を複数備えるように曲設された少なくとも１本の蔓体からなり、前記立設支持体は少なくとも前記幹状部と一体化され、前記幹状部の転倒防止機能を備えていることを特徴とする蔓を用いた人工観葉植物。
【請求項２】
前記立設支持体と前記幹状部との間には、両者を一体化する介装体が設けられ、前記介装体には前記立設支持体と前記幹状部とがそれぞれ固定部材により固定されていることを特徴とする請求項１に記載の蔓を用いた人工観葉植物。
【請求項３】
前記介装体の底部は、座床部として転倒防止機能を備えていることを特徴とする請求項２に記載の蔓を用いた人工観葉植物。
【請求項４】
前記立設支持体と前記幹状部とが直接固定部材により固定されていることを特徴とする請求項１に記載の蔓を用いた人工観葉植物。
【請求項５】
前記立設支持体と前記幹状部とには、予め合成樹脂などで形成された人工の有葉蔓枝が装着されていることを特徴とする請求項１ないし４のいずれかに記載の蔓を用いた人工観葉植物。
【請求項６】
少なくとも前記幹状部の一部が、壁に当接もしくは近接されて立設可能となっており、別途用意された人工の有葉蔓枝を壁に適宜固定・取外し可能にしたことを特徴とする請求項１ないし５のいずれかに記載の蔓を用いた人工観葉植物。
【請求項７】
前記立設支持体と前記幹状部とを一体化する介装体は、外壁部とその内側の内壁部を有し、前記介装体の外壁部には前記幹状部が、前記内壁部には前記立設支持体がそれぞれ固定部材により固定されていることを特徴とする請求項２または３に記載の蔓を用いた人工観葉植物。
【発明の詳細な説明】
【技術分野】
【０００１】
本発明は、人工観葉植物、特にオフィスや、家庭の床に配置し、癒しとともに内装におけるアクセントとして用いられる蔓を用いた人工観葉植物に関する。
【背景技術】
【０００２】
一般に、観葉植物として生きた鉢植えされた植物（特に樹木）は、オフィスや、家庭の床に配置され、癒し効果を挙げるとともに、内装におけるアクセントとして用いられている。しかし、生きた観葉植物は、水遣り、日光の管理などの手間が多大にかかり、近年ではこれに代わり人工観葉植物が多用されてきている。
【０００３】
例えば特許文献１に示されるような人工観葉植物がある。これは人工樹木と呼ばれ、鉢内に固定具を挿入し、固定具から乾燥済みの樹木を立設し、更にその樹木に設けられた孔部に予め合成樹脂などで形成された人工の有葉枝を接着剤とともに差し込み、製造されるようになっている。このような人工樹木は、近年合成樹脂などで形成された人工の有葉枝の質感や概観の精度が向上し、本物の生木と見分けがつかない程のレベルにまでになっており、需要も多い。
【０００４】
しかし、樹木と並存して生息する蔓においては、一部飾りの補助材としての利用法は特許文献２などに見受けられるが、これを人工観葉植物と位置づけた製品は存在していない。
【０００５】
【特許文献１】特開２００３−１２９３２０号公報
【特許文献２】特開２００２−１３８５７１号公報
【発明の開示】
【発明が解決しようとする課題】
【０００６】
本発明は、オフィスや家庭の壁を利用して、特にオフィスや家庭の床から壁を伝って蔓が這う如き、蔓を用いた人工観葉植物を提供するものであり、人工樹木にはない自然の蔓の表面質感によって癒し効果を挙げるとともに、内装におけるアクセントを向上させることを目的としている。特に本発明にあっては、人工樹木が転倒防止用として必然的に備えなければならい鉢を不要として可能な限り軽量化を図ることを目的としている。
【課題を解決するための手段】
【０００７】
上記目的を達成するために、本発明の蔓を用いた人工観葉植物は、立設支持体と、該立設支持体から上方へ伸びる幹状部とからなる人工観葉植物であり、前記幹状部は蔓構造体からなるとともに、前記立設支持体は座床部を複数備えるように曲設された少なくとも１本の蔓体からなり、前記立設支持体は少なくとも前記幹状部と一体化され、前記幹状部の転倒防止機能を備えていることを特徴としている。
上記構成の本発明によると、上方へ伸びる幹状部に加え、立設支持体も蔓で構成されているため、オフィスや家庭の床からその壁を伝って蔓が這う如き演出が可能となるばかりか、立設支持体の蔓体が従来の人工樹木の鉢に代わり転倒防止機能を有するため、鉢の違和感を無くすことができ、人工樹木にはない自然の蔓の表面質感によって癒し効果を挙げることができ、軽量化を図ることができる。
【０００８】
上記目的を達成するために、本発明の蔓を用いた人工観葉植物は、前記立設支持体と前記幹状部との間には、両者を一体化する介装体が設けられ、前記介装体には前記立設支持体と前記幹状部とがそれぞれ固定部材により固定されていることを特徴としている。
上記構成の本発明によれば、介装体に、前記立設支持体と前記幹状部とがそれぞれ固定部材により一体に固定されているため、人工観葉植物自体の強度が向上し、搬送時においての破損の危険性を無くせる。
【０００９】
上記目的を達成するために、本発明の蔓を用いた人工観葉植物は、前記介装体の底部が、座床部として転倒防止機能を備えていることを特徴としている。
上記構成の本発明によれば、立設支持体の転倒防止機能に加え、前記介装体の底部が、座床部として転倒防止機能を備えていることにより、転倒防止機能が向上する。
【００１０】
上記目的を達成するために、本発明の蔓を用いた人工観葉植物は、前記立設支持体と前記幹状部とが直接固定部材により固定されていることを特徴としている。
上記構成の本発明によれば、介装体を不要に出来ることにより、介装体なる人工物が見えることがなく自然の蔓の表面質感によって癒し効果を挙げることができ、かつ軽量化も図れることになる。
【００１１】
上記目的を達成するために、本発明の蔓を用いた人工観葉植物は、前記立設支持体と前記幹状部とには、予め合成樹脂などで形成された人工の有葉蔓枝が装着されていることを特徴としている。
上記構成の本発明によれば、蔓や蔦のイメージをより効果的に表現できることになる。
【００１２】
上記目的を達成するために、本発明の蔓を用いた人工観葉植物は、少なくとも前記幹状部の一部が、壁に当接もしくは近接されて立設可能となっており、別途用意された人工の有葉蔓枝を壁に適宜固定・取外し可能になっていることを特徴としている。
上記構成の本発明によれば、人工の有葉蔓枝を壁に適宜固定することにより、蔓がオフィスや家庭の床からその壁を伝って蔓が這う如き演出が可能となるばかりか、有葉蔓枝の固定に当たり壁を広い範囲で利用できるため、前記立設支持体と前記幹状部が搬送を考慮に入れて小振りに形成されているとしても、人工観葉植物を大きく見せることができる。
【００１３】
上記目的を達成するために、本発明の蔓を用いた人工観葉植物は、前記立設支持体と前記幹状部とを一体化する介装体は、外壁部とその内側の内壁部を有し、前記介装体の外壁部には前記幹状部が、前記内壁部には前記立設支持体がそれぞれ固定部材により固定されていることを特徴としている。
上記構成の本発明によれば、前記介装体の外壁部には前記幹状部を、前記内壁部には前記立設支持体をそれぞれ固定部材により固定すれば、幹状部と立設支持体が取り付け固定時に干渉せず、両者の固定作業が楽になる。
【発明を実施するための最良の形態】
【００１４】
以下、本発明の実施例を図面に基づいて説明する。
【００１５】
図４は、本発明の蔓を用いた人工観葉植物であり、立設支持体１と、該立設支持体１から上方へ伸びる幹状部２とからなる人工観葉植物である。前記幹状部２は蔓構造体からなり、山から切り出した蔓・蔦の種類であり、巻き付き力のある植物のみの構造、または蔓の質感が出るようにその主要な露出部分に蔓を使用したものであれば良く、木の幹などをその一部に加えることを妨げない。
【００１６】
図１に戻って、蔓を用いた人工観葉植物の製造工程について説明すると、前記幹状部２は、蔓５が介装体３にビス４（接着剤でも可）などの固定部材により、蔓構造体が上方へ伸びるように固定される。この介装体３は木材であるとビス４が取り付けやすい。この介装体３の底部は、平坦もしくは脚が複数形成され、座床部として転倒防止機能を備えている。
【００１７】
次に図２に示されるように、介装体３には蔓５が巻かれる。この巻かれた蔓５は立設支持体１として機能する蔓体６となる。すなわち座床部６１，６２，６３・・を複数備えるように曲設された少なくとも１本の蔓体６は、前記幹状部２と同様に介装体３にビス４（接着剤でも可）などの固定部材で固定されている。なお複数の蔓５を利用して蔓体６を構成すると多数の座床部６１，６２，６３・・を容易に形成できる。すなわち前記介装体３や蔓体６からなる立設支持体１は少なくとも前記幹状部と一体化され、前記幹状部２の転倒防止機能を備えることになる。
【００１８】
また図４に示されるように前記立設支持体１の一部である座床部６１，６２，６３・・を複数備えるように曲設された蔓体６は、蔓本来の弾性力を備えているため、人工観葉植物に何かが触れて転倒力を受けた場合でも、その蔓の弾力性により復元し、人工観葉植物の転倒を確実に防止できることになる。
【００１９】
このように上方へ伸びる幹状部２に加え、立設支持体１も蔓体６で構成されているため、オフィスや家庭の床からその壁を伝って蔓が這う如き演出が可能となるばかりか、立設支持体１の蔓体６が従来の人工樹木の鉢に代わり転倒防止機能を有するため、鉢の違和感を無くすことができ、人工樹木にはない自然の蔓の表面質感によって癒し効果を挙げることができ、軽量化を図ることができる。
【００２０】
本実施例にあっては、前記立設支持体１と前記幹状部２との間には、両者を一体化する介装体３が設けられ、前記介装体３には前記立設支持体２と前記幹状部１とがそれぞれビス４などの固定部材により固定されているため、人工観葉植物自体の強度が向上し、搬送時においての破損の危険性を無くせる。なお、蔓体６が介装体３の周囲で転倒防止機能を担うため、介装体３は小さなものを選択でき、介装体３を可能な限り蔓で隠蔽できる。
【００２１】
他の実施例が図６に示されており、これは前記立設支持体１を蔓体６のみとし、蔓体６と前記幹状部２を構成する蔓構造体とが直接ビス４などの固定部材により固定されている。このようにすれば前記実施例のような介装体３を不要に出来ることになり、介装体３なる人工物が見えることがなく自然の蔓のみで人工観葉植物を構成でき、蔓の表面質感によって癒し効果を挙げることができ、かつ更なる軽量化も図れることになる。
【００２２】
図３には、前記立設支持体１と前記幹状部２とに、合成樹脂などで形成された人工の有葉蔓枝７を装着する様子が示されており、これは図５に示されるようなコ字状のピン８などによって取り付けられる。この構成によれば人工観葉植物に蔓や蔦のイメージをより効果的に与えることが出来る
【００２３】
また図４に示されるように少なくとも前記幹状部２の一部が、壁に当接もしくは近接されて立設可能となっており、別途用意された人工の有葉蔓枝７を壁に固定する。またこの人工の有葉蔓枝７は利用者によって適宜固定・取外し可能になっていることが好ましい。人工の有葉蔓枝７を壁に適宜固定することにより、蔓がオフィスや家庭の床からその壁を伝って蔓が這う如き演出が可能となるばかりか、有葉蔓枝７の固定に当たり壁を広い範囲で利用できるため、前記立設支持体１と前記幹状部２が搬送を考慮に入れて小振りに形成されているとしても、人工観葉植物を大きく見せることができる。また利用者本人によって模様替えも可能となる。なお、前記立設支持体１や前記幹状部２にも、この合成樹脂などで形成された人工の有葉蔓枝７を同時に装着することを妨げるものではない。
【００２４】
さらに他の実施例が図７に示されており、前記立設支持体１と前記幹状部２とを一体化する介装体３が、外壁部３１とその内側の内壁部３２を有し、前記介装体の外壁部３１には前記幹状部２の下端部が、前記内壁部３２には前記立設支持体１の所定箇所がそれぞれビス４などの固定部材により固定されている。したがって前記介装体３の外壁部３１と内壁部３２といった二つの固定部分が用意でき固定部分が広く用意できることとなり、幹状部２と立設支持体１が取り付け固定時に干渉せず、両者の固定作業が楽なものとなる。
【図面の簡単な説明】
【００２５】
【図１】本発明の人工観葉植物の製造過程を示す外観斜視図である。
【図２】本発明の人工観葉植物の製造過程を示す外観斜視図である。
【図３】本発明の人工観葉植物の製造過程を示す外観斜視図である。
【図４】本発明の人工観葉植物が壁に沿って配置された状態を示す外観斜視図である。
【図５】有葉蔓枝７を壁に適宜固定する状態を示す外観斜視図である。
【図６】その他の実施態様である人工観葉植物の製造過程を示す外観斜視図である。
【図７】さらにその他の実施態様である人工観葉植物の製造過程を示す外観斜視図である。
【符号の説明】
【００２６】
１              立設支持体
２              幹状部
３              介装体
３１            外壁部
３２            内壁部
４              ビスなどの固定部材
５              蔓
６              蔓体
６１，６２・・  座床部
７              有葉蔓枝
８              ピン
【図１】
2008150772.tif 000003
【図２】
2008150772.tif 000004
【図３】
2008150772.tif 000005
【図４】
2008150772.tif 000006
【図５】
2008150772.tif 000007
【図６】
2008150772.tif 000008
【図７】
2008150772.tif 000009